(57)【要約】【課題】冷熱機構で発生した冷熱を効率良く低温収納庫内の内容器に伝えると共に、組み立て性に優れた低温収納庫を提供する。【解決手段】収納庫本体４と、この収納庫本体４内に設けられている内容器２１と、この内容器２１と熱的に接続されている冷却機構たるスターリングサイクル機関１１と、前記収納庫本体４に取り付けられる蓋体６とを有し、前記収納庫本体４の外殻体と前記内容器２１の間および前記蓋体６内に断熱部材たる発泡断熱部材２３，２６，３６及び真空断熱部材２４，２７，３７を設けた低温収納庫１において、前記スターリングサイクル機関１１の吸熱部１３を前記内容器２１の外面に当接した状態で固定するための固定部２５を設けると共に、この固定部２５を前記内容器２１の外面に対して取り付ける。【選択図】      図１
2004225942.tif 000002
【特許請求の範囲】
【請求項１】
収納庫本体と、この収納庫本体内に設けられている内容器と、この内容器と熱的に接続されている冷却機構と、前記収納庫本体に取り付けられる蓋体とを有し、前記収納庫本体の外殻体と前記内容器の間および前記蓋体内に断熱部材を設けた低温収納庫において、前記冷却機構の吸熱部を前記内容器の外面に当接した状態で固定するための固定部を設けると共に、この固定部を前記内容器の外面に対して取り付けたことを特徴とする低温収納庫。
【請求項２】
前記内容器外面に前記冷却機構の吸熱部の先端と密着する形状の当接面を形成すると共に、この当接面の周囲を囲むように前記固定部が取り付けられていることを特徴とする請求項１記載の低温収納庫。
【請求項３】
前記当接面と前記冷却機構の先端面が当接すると共に、前記固定部が前記冷却機構の先端側の側面を締め付けるように構成されていることを特徴とする請求項２記載の低温収納庫。
【請求項４】
前記内容器と前記固定部とが同じ材質で構成されていることを特徴とする請求項１乃至３記載の低温収納庫。
【発明の詳細な説明】
【０００１】
【発明の属する技術分野】
本発明は、ピストン駆動により冷熱を発生させる機関を用いて低温状態を実現する低温収納庫に関するものである。
【０００２】
【従来の技術】
ピストン駆動により冷熱を発生させる機関を用いて低温状態を実現する低温収納庫として、スターリングサイクル機関を用いた低温収納庫があり、例えば、特許第３２８６４９４号の特許掲載公報に記載されたものがある。この公報によれば、スターリングサイクル機関として、圧縮シリンダ部の先方に形成され作動ガスを圧縮させる圧縮室と、膨張シリンダ部の先方に形成され動作ガスを膨張させる膨張室とを有し、圧縮室と膨張室とは、熱再生器と放熱器とを介在させてガス流路で連通しており、クランク機構によるピストンを往復運動させ動作ガスを圧縮し、あるいは膨張させて冷熱を発生させるものが開示されている。
【０００３】
また、収納容器部分として、箱状の外箱と内箱との間にウレタン等の断熱材を充填した断熱部の内壁に熱伝導板を張り付けて収納容器部分である冷凍室が形成されることが開示されている。
【０００４】
さらに、低温収納庫の収納容器は、下部に膨張シリンダ部の先端に接続する熱伝導部を有し、熱伝導部が熱伝導板の底面に接合し、膨張シリンダ部のある部分が断熱材で覆われていることも開示されている。
【０００５】
【特許文献１】
特許第３２８６４９４号特許掲載公報
【０００６】
【発明が解決しようとする課題】
しかしながら、前記特許掲載公報によれば、スターリングサイクル機関の膨張シリンダ部が熱伝導部を介して、内容器の底面を構成する熱伝導板の底面に接合されているので、スターリングサイクル機関で発生した冷熱の伝導が間接的であり、効率的に内容器に伝わり難いという課題があった。また、前記特許掲載公報によれば、スターリングサイクル機関の膨張シリンダ部の先端が熱伝導板の底面に接合しているだけであるため、両者が密着しなかったり組み立て中に離れたりする虞があるなど、組み立て性に課題があった。
【０００７】
ところで、冷却機構であるピストンの往復運動を利用して冷却する機関として、スターリングサイクル機関を用いることができる。この場合、スターリングサイクル機関の膨張シリンダ部と内容器の底面を接合させ、クランク機構によるピストンを往復運動させるようなスターリングサイクル機関では、稼動による振動が内容器に伝わり、振動による熱が発生し易いという問題があった。しかし、例えば、ピストンを軸方法に往復駆動することにより（圧縮シリンダに対応）、これに従動して軸方向に往復運動するディスプレイサー（膨張シリンダに対応）からなるスターリングサイクル機関（特開平２０００−２７４８５４号公報参照）を用いれば、振動が少ないので、このスターリングサイクル機関の吸熱部を固定部により内容器に固定すれば、固定も容易であり、振動による熱の発生も抑えられる。
【０００８】
そこで、本発明は、上記課題を解決するためになされたものであり、ピストンの往復運動を利用して冷却する機関を用いた低温収納庫において、前記機関の吸熱部で発生した冷熱を効率良く低温収納庫内の内容器に伝えることができると共に、組み立て性に優れた低温収納庫を提供することを目的とするものである。
【０００９】
【課題を解決するための手段】
請求項１の低温収納庫の発明は、収納庫本体と、この収納庫本体内に設けられている内容器と、この内容器と熱的に接続されている冷却機構と、前記収納庫本体に取り付けられる蓋体とを有し、前記収納庫本体の外殻体と前記内容器の間および前記蓋体内に断熱部材を設けた低温収納庫において、前記冷却機構の吸熱部を前記内容器の外面に当接した状態で固定するための固定部を設けると共に、この固定部を前記内容器の外面に対して取り付けたことを特徴とするものである。
【００１０】
請求項１の低温収納庫によれば、冷却機構の吸熱部に、収納庫本体の内容器の外面に当接固定されるための固定部を設け、この固定部が内容器の外面に固定されるので、吸熱部で発生した冷熱を効率良く内容器に伝えるばかりでなく、この内容器に固定部が取り付けられるので、これら内容器及び固定部の加工が容易である。
【００１１】
請求項２記載の低温収納庫の発明は、請求項１において、前記内容器外面に前記冷却機構の吸熱部の先端と密着する形状の当接面を形成すると共に、この当接面の周囲を囲むように前記固定部が取り付けられていることを特徴とするものである。
【００１２】
請求項２の低温収納庫によれば、冷却機構の吸熱部の最も低温となる先端部が内容器の外面と熱的に良好に密着し、さらに、固定部が当接面を囲むようになっているので、発生した冷熱を効率的に内容器に伝える。
【００１３】
請求項３記載の低温収納庫の発明は、請求項２において、前記当接面と前記冷却機構の先端面が当接すると共に、前記固定部が前記冷却機構の先端側の側面を締め付けるように構成されていることを特徴とするものである。
【００１４】
請求項３の低温収納庫によれば、前記固定部が前記冷却機構の先端側の側面を締め付けることで、先端面の変形が抑えられるので、簡単な構造で吸熱部を固定できると共に、発生した冷熱を効率的に内容器に伝える。
【００１５】
請求項４記載の低温収納庫の発明は、請求項１乃至３のいずれか一項において、前記内容器と前記固定部とが同じ材質で構成されていることを特徴とするものである。
【００１６】
請求項４の低温収納庫によれば、固定部と吸熱部の材質が同じなので、材質の違いによる熱伝導損失がないばかりでなく、内容器と固定部が同じ熱膨張率で変形する。
【００１７】
【発明の実施形態】
以下、本発明の実施形態について、図１および図２に基づいて説明する。
【００１８】
図１は、本発明における低温収納庫を示すものである。この低温収納庫１は、冷却機構であるスターリングサイクル機関１１を搭載する搭載室２と、その搭載室２の上方にスターリングサイクル機関１１から発生する熱を放出するための放熱フィン１２を空冷するための外気取込室３と、その外気取込室３の上方に収納庫本体４が設けられており、その収納庫本体４の上方には、収納庫本体内の保存室５に低温保存する物を出し入れするための蓋体６が設けられている。そして、収納庫本体４と蓋体６は、図示しないヒンジ等で開閉自在に取り付けられている。また、前記低温収納庫１が移動可能なように、搭載室２の下部にはゴム製のローラー７が設けられている。
【００１９】
搭載室２の内部には、スターリングサイクル機関１１を固定するためのスプリング等の防振機構１５付きの固定台１４がある。そして、防振機構１５には、略Ｌ字型の固定板１６が連結されており、固定板１６がスターリングサイクル機関１１の本体胴部分に接合され、固定台１４に固定されるようになっている。そして、スターリングサイクル機関１１の吸熱部１３は、搭載室２から外気取込室３を貫通し、収納庫本体４に至っており、吸熱部１３の先端が収納庫内の内容器２１の底面に当接するようになっている。
【００２０】
前記搭載室２と外気取込室３とは、仕切板１７で仕切られていると共に、前記外気取込室３の中央部分は、スターリングサイクル機関１１の吸熱部１３が貫通している。また、放熱フィン１２が吸熱部１３の下方の放熱部１３Ａを囲むように配置されている。そして、前記外気取込室３の外殻体には、図示しない外気取込孔があり、この外気取込孔から外気を取り入れ、放熱フィン１２を空冷するようになっている。さらに、前記放熱フィン１２は、放熱フィンカバー１８で仕切板１７と接合されている。前記放熱フィンカバー１８は、ゴム等の弾性体で形成されており、この部分においてスターリングサイクル機関１１の振動が低温収納庫の外殻体へ伝わるのを低減しているばかりでなく、前記外気取込孔から取り入れられた外気が前記放熱フィン１２と仕切板１７の間を通ることが防止されることで、放熱フィン１２の放熱効率が向上する。また、放熱フィン１２の上方の吸熱部１３と放熱部１３Ａの間を囲むように、断熱材１９が放熱フィン１２より小さい円周で形成され、配置されている。
【００２１】
また、収納庫本体４の中央部分には、低温保存される物を入れるための内容器２１（保存室５）がある。そして、内容器２１の外側には、内容器２１を囲むように発泡ゴムからなる防振部材２２が配置されている。さらに、防振部材２２を囲むように発泡ウレタンよりなる断熱部材たる発泡断熱部材２３が配置され、その外側には断熱部材たる真空断熱部材２４が配置されている。この真空断熱部材２４は、発泡断熱部材２３の側面のみならず、底面も覆うように配置されている。また、防振部材２２は、その下端が前記外気取込室３の上面までとどくように配置されている。
【００２２】
前記内容器２１の底面には、その中央部分に前記スターリングサイクル機関１１の吸熱部１３の先端面１３Ｂが接触する当接面２１Ａが形成されている。なお、前記吸熱部１３は、図２に示すような一部に開放部５１を有する略Ｃ字型の固定部２５により内容器１２に固定されている。前記固定部２５には、その側面に貫通孔５２が設けられており、その貫通孔５２にボルト５３を螺合させ、スターリングサイクル機関１１の吸熱部１３の先端部側面を締め付けて固定するようになっている。そして、固定部２５には、上面から下面に向かって貫通していない後述するボルト２８用の孔５４が４箇所形成されており、この孔５４にボルト２８が螺合することによって、吸熱部１３の先端部側面を締め付けた固定部２５と内容器２１の底面が接合固定され、固定部２５が当接面２１Ａを囲むと共に、この当接面２１Ａに前記吸熱部１３の先端面１３Ｂが熱的に良好な状態で密着するようになっている。なお、前記固定部２５は、前記内容器２１の底面に対して熱的に良好な状態で固定されている。そして、内容器２１と固定部２５とは同じ材料、例えばアルミニウムや銅を用いることにより、熱伝導の違いによる熱伝導損失を抑えることができるばかりでなく、これら内容器２１と固定部２５の熱膨張率が同じであるため、これらが吸熱部１３によって冷却されたとしても、同じように収縮することで、内容器２１と固定部２５の熱膨張率の差によって熱ストレスが加わって両者の密着性が損なわれたり破損したりするようなことがない。また、前記内容器２１の下方には、この内容器２１の底面を覆うように発泡断熱部材２６が配置され、さらにその下方を覆うように、この発泡断熱部材２６の底面に真空断熱部材２７が配置されている。なお、図１の拡大部分に示すように、内容器２１の底部には、ボルト２８用の貫通孔が形成されており、この貫通孔に防振用のＯリング２９を介して前記ボルト２８を入れて前記孔５４に螺合させることで、前記吸熱部１３の先端部側面を締め付けた固定部２５と内容器２１とが結合するようになっている。そして、このように前記吸熱部１３の先端部側面を前記固定部２５によって締め付けて固定し、この固定部２５を、前記内容器２１の底面に形成された当接面２１Ａを囲むように且つ前記吸熱部１３の先端面１３Ｂが前記当接面２１Ａに熱的に良好な状態で接触するように固定することで、組み立て中に前記吸熱部１３の先端面１３Ｂと前記当接面２１Ａとの熱的な密着が損なわれることがなく、組み立てが行いやすい。また、前記吸熱部１３の先端部側面が前記固定部２５によって締め付けられることで、前記吸熱部１３の先端面１３Ｂの変形が抑えられるため、前記吸熱部１３の先端面１３Ｂと前記当接面２１Ａとの熱的な密着が損なわれることが更に抑えられる。
【００２３】
前記内容器２１は、その側壁の上部が前記収納庫本体４の上端近傍まで延びている。また、前記防振部材２２と発泡断熱部材２３の上方は、合成樹脂製の取付板３０で覆われている。また、前記内容器２１と取付板３０の接続および防振を目的とする内容器接続パッキン３１が、取付板３０の下面と内容器２１の上端との間に配置されている。更に、前記取付板３０の外周側では、前記収納庫本体４の外殻体が保存室５側に折り込まれるように形成されており、この外殻体の折り込まれた部分を前記取付板３０の外周部が覆っている。この部分について、図１の拡大部分を用いて説明する。前記収納庫本体４の外殻体の内側に折り込まれた部分は、途中まで発泡断熱部材２３と取付板３０に挟まれている。そして、前記取付板３０の下面における前記収納庫本体４の外殻体の折り込まれた部分の内端部近傍には、前記内容器２１を囲むように溝状の肉薄部３５が形成されており、前記収納庫本体４の外殻体の折り込まれた部分の内端部は、前記発泡断熱部材２３で覆われるように形成されている。そして、熱伝導率の低い樹脂で形成された取付板３０を、前記肉薄部３５において薄くしていることで、熱伝導が更に抑えられ、外殻体から取付板３０を経て内容器２１に至る熱の伝導が減少する。
【００２４】
前記蓋体６内部には、発泡断熱部材３６及び真空断熱部材３７が設けられていると共に、前記蓋体６の下面には内蓋３８が固定されている。そして、前記蓋体６内の保存室５側に前記発泡断熱部材３６が設けられていると共に、この発泡断熱部材３６の外側に前記真空断熱部材３７が設けられている。また、前記内蓋３８は、前記内容器２１の内径とほぼ同じか、それより小さくなっている。更に、前記蓋体６の外殻体も、前記収納庫本体４と同様に、保存室５側に折り込まれるように形成されており、その内端部は、前記取付板３０とほぼ同じ構造の合成樹脂製の取付板３９によって覆われている。また、この取付板３９の上面にも、前記内容器２１を囲むように肉薄部４０が形成されている。この部分について、図１の拡大部分を用いて説明する。前記蓋体６の外殻体の内側に折り込まれた部分は、発泡断熱部材３８と取付板３９に挟まれている。そして、前記取付板３９の上面における前記蓋体６の外殻体の折り込まれた部分の内端部よりも内側には、前記内容器２１を囲むように溝状の肉薄部４０が形成されている。そして、熱伝導率の低い樹脂で形成された取付板３９を、前記肉薄部４０において薄くしていることで、熱伝導が更に抑えられ、外殻体から取付板３９を経て内容器２１に至る熱の伝導が減少する。更に、前記取付板３９の外周側に、蓋パッキン３２が固定されていると共に、この蓋パッキン３２の内側には、内部蓋パッキン３３が取り付けられている。なお、前記蓋パッキン３２は、いわゆるマグネットパッキンである。そして、前記蓋体６を閉めることで、前記蓋パッキン３２が収納庫本体４の外殻体に磁着すると共に、前記内部蓋パッキン３３が前記取付部３０に密着する。従って、前記蓋パッキン３３及び内部蓋パッキン３３によって、前記収納庫本体４の保存室５を略密閉状態に保つことができるようになっている。なお、前記収納庫本体４及び蓋体６の外殻は、熱伝導率が低く且つ磁性体であることが好ましく、例えば鋼板等が使用可能である。
【００２５】
以上のような構成で、冷却機構であるスターリングサイクル機関１１の図示しないピストンを往復運動させることにより、吸熱部１３の先端部が冷却されるようになる。そして、前記先端面１３Ｂが前記当接面２１Ａと熱的に良好に密着していることで、前記内容器２１内の熱が内容器２１の当接面２１Ａから吸熱部１３の先端面１３Ｂに伝導すると共に、前記吸熱部１３の先端部側面を締め付けている固定部２５が前記内容器２１の底面に熱的に密着した状態でボルト２８によって固定されていることで、前記内容器２１内の熱が固定部２５から吸熱部１３の先端部に伝導することで、前記内容器２１（保存室５）が冷却される。
【００２６】
このとき、前記収納庫本体４内で前記内容器２１の外側に設けられた発泡断熱部材２３の外側に設けられた真空断熱部材２４及び蓋体６内の発泡断熱部材３８の上方に設けられた真空断熱部材３７によって、低温収納庫１の外部から内容器２１（保存室５）に流入する熱を効果的に遮断できると共に、前記収納庫本体４内で前記内容器２１の下方に設けられた発泡断熱部材２６の下方に設けられた真空断熱部材２７によって、スターリングサイクル機関１１の放熱部１３Ａから内容器２１（保存室５）に流入する熱を効果的に遮断できる。更に、前記収納庫本体４の上部に設けられた取付板３０が合成樹脂で形成されていることで、前記収納庫本体４の外殻体から前記取付板３０を伝って前記内容器２１（保存室５）に熱が流入することが抑えられるばかりでなく、前記取付板３０に溝状の肉薄部３５が形成されていることで、この肉薄部３５における熱伝導が阻害され、前記収納庫本体４の外殻体から前記内容器２１（保存室５）に熱が流入することが更に抑えられる。同様に、前記蓋体６においても、前記取付板３９が合成樹脂で形成されていることで、前記蓋体６の外殻体から前記取付板３９を伝って保存室５に熱が流入することが抑えられるばかりでなく、前記取付板３９に溝状の肉薄部４０が形成されていることで、この肉薄部４０における熱伝導が阻害され、前記蓋体６の外殻体から保存室５に熱が流入することが更に抑えられる。従って、前記内容器２１（保存室５）に熱が流入することが効果的に抑えられて効率的に冷却されることになる。
【００２７】
ところで、前記真空断熱部材２４，２７，３７の前記内容器２１側に前記発泡断熱部材２３，２６，３６が設けられており、これらの発泡断熱部材２３，２６，３６によって前記内容器２１からの冷熱が遮断されることで、前記真空断熱部材２４，２７，３７の外面が過度に低温とならない。このため、前記真空断熱部材２４，２７，３７を構成する外面のフィルム（通常は合成樹脂）が低温脆化せず、これら真空断熱部材２４，２７，３７の真空が保たれることになる。そしてこの結果、前記低温収納庫１は長期にわたって高い断熱性が維持される。
【００２８】
そして、スターリングサイクル機関１１で発生して放熱フィン１２に伝わった振動は、放熱フィンカバー１８で吸収されることで、仕切板１７から外気取込室３，ひいては収納庫本体４に振動が伝わることが防止される。一方、前記スターリングサイクル機関１１の吸熱部１３は前記内容器２１に対して直接接触しているため、前記スターリングサイクル機関１１で発生した振動は内容器２１に伝わることになる。しかしながら、この内容器２１の外面が防振部材２２によって覆われているため、前記内容器２１から発泡断熱部材２３に伝わる振動が吸収される。即ち、前記発泡断熱部材２３は、通常ポリウレタンを収納庫本体４の外殻体内部に注入して発泡させることで形成するが、発泡ポリウレタンの外面においては気泡が形成されずソリッドな状態であり、ポリウレタン樹脂自体が比較的硬いため、この発泡断熱部材２３の外面に沿って振動が伝わりやすいものの、前述したように、防振部材２２によって振動が吸収されるので、前記内容器２１から発泡断熱部材２３を経て前記収納庫本体４に振動が伝わらないようにできる。また、前記内容器２１の上端と取付板３０の間に内容器接続パッキン３１が設けられていることで、この内容器接続パッキン３１によって内容器２１から取付板３０に伝わる振動が吸収されることになる。更に、前記内容器２１の側壁から取付板３０に僅かに振動が伝わったとしても、この取付板３０に形成された溝状の肉薄部３５によって、振動が収納庫本体４の外殻体に伝わることが防止される。従って、スターリングサイクル機関１１から前記内容器２１に伝わった振動は、前記収納庫本体４には伝わらないことになる。
【００２９】
以上のように、前記実施形態においては、収納庫本体４と、この収納庫本体４内に設けられている内容器２１と、この内容器２１と熱的に接続されている冷却機構たるスターリングサイクル機関１１と、前記収納庫本体４に取り付けられる蓋体６とを有し、前記収納庫本体６の外殻体と前記内容器２１の間および前記蓋体内６に断熱部材２３、３６を設けた低温収納庫において、前記冷却機構の吸熱部１３を前記内容器２１の外面に当接した状態で固定するための固定部２５を設けると共に、この固定部２５を前記内容器２１の外面に対して取り付けているので、吸熱部１３で発生した冷熱を内容器２１に効率良く内容器に伝えることができるばかりでなく、組み立て中に吸熱部１３と内容器２１の密着が損なわれることがないので、組み立てやすい。
【００３０】
また、前記内容器２１外面に前記スターリングサイクル機関１１の吸熱部１３の先端面１３Ｂと密着する形状の当接面２１Ａを形成すると共に、この当接面２１Ａの周囲を囲むように前記固定部２５が取り付けられているので、前記先端面１３Ｂと当接面２１Ａとの熱的な密着性が良く、発生した冷熱を内容器２１に直接的に伝えることができ、また、固定部２５を介して冷熱を間接的にも内容器２１に更に効率良く伝えることができる。
【００３１】
また、前記当接面２１Ａと前記スターリングサイクル機関１１の吸熱部１３の先端面１３Ｂが当接すると共に、前記固定部２５が前記吸熱部１３の先端部側面を締め付けるように構成されているので、前記吸熱部１３を容易に固定できるばかりでなく、先端面１３Ｂの変形が抑えられるので、この先端面１３Ｂと前記当接面２１Ａの密着を保ち、前記スターリングサイクル機関１１で発生した冷熱を内容器２１に更に効率的に伝えることができる。
【００３２】
更に、前記内容器２１と前記固定部２５とが同じ材質で構成されているので、材質の違いによる熱伝導損失がなく、前記スターリングサイクル機関１１で発生した冷熱を内容器２１に効率的に伝えることができるばかりでなく、これら内容器２１と固定部２５の熱膨張率が同じであるため、これらが同じように収縮することで、内容器２１と固定部２５の熱膨張率の差によって熱ストレスが加わって両者の密着性が損なわれたり破損したりするようなことがない。。
【００３３】
なお、本発明は、前記実施形態に限定されるものではなく、種々の変形実施が可能である。
【００３４】
【発明の効果】
以上説明したように、請求項１記載の発明は、収納庫本体と、この収納庫本体内に設けられている内容器と、この内容器と熱的に接続されている冷却機構と、前記収納庫本体に取り付けられる蓋体とを有し、前記収納庫本体の外殻体と前記内容器の間および前記蓋体内に断熱部材を設けた低温収納庫において、前記冷却機構の吸熱部を前記内容器の外面に当接した状態で固定するための固定部を設けると共に、この固定部を前記内容器の外面に対して取り付けているので、吸熱部で発生した冷熱を効率良く内容器に伝えることで、この内容器内を効率的に冷却することができるばかりでなく、前記内容器に固定部が取り付けられるので、これら内容器及び固定部を容易に加工することができる。
【００３５】
請求項２記載の発明は、冷却機構の吸熱部の最も低温となる先端部が内容器の外面と熱的に良好に密着し、さらに、固定部が当接面を囲むようになっているので、密着性が良く発生した冷熱を内容器に直接的に伝えることができ、また、固定部を介して間接的にも内容器に効率良く伝えることができることができる。
【００３６】
請求項３記載の発明は、前記当接面と前記冷却機構の先端面が当接すると共に、前記固定部が前記冷却機構の先端側の側面、すなわち吸熱部を固定部を締め付けるように構成されているので、前記固定部が前記冷却機構の先端側の側面を締め付けることで先端面の変形が抑えられ、簡単な構造で吸熱部を固定できると共に、発生した冷熱を内容器に効率的に伝えることができる。
【００３７】
請求項４記載の発明は、前記内容器と前記固定部とが同じ材質で構成されているので、材質の違いによる熱伝導損失がなく、発生した冷熱を内容器に効率的に伝えることができるばかりでなく、内容器と固定部が同じ熱膨張率で変形することで、内容器と固定部の熱膨張率の差によって熱ストレスが加わって密着性が損なわれたり破損したりする虞を一掃できる。
【図面の簡単な説明】
【図１】本発明の実施形態を示す断面図である。
【図２】スターリングサイクル機関の吸熱部を内容器の底面に固定するための構造を示す部分分解斜視図である。
【符号の説明】
１  低温収納庫
４  収納庫本体
６  蓋体
１１  スターリングサイクル機関（冷却機構）
１３  吸熱部
１３Ｂ  先端面
２１  内容器
２１Ａ  当接面
２３  発泡断熱部材（断熱部材）
２４  真空断熱部材（断熱部材）
２５  固定部
２６  発泡断熱部材（断熱部材）
２７  真空断熱部材（断熱部材）
３６  発泡断熱部材（断熱部材）
３７  真空断熱部材（断熱部材）
【図１】
2004225942.tif 000003
【図２】
2004225942.tif 000004
【手続補正書】
【提出日】平成15年9月17日(2003.9.17)
【手続補正１】
【補正対象書類名】明細書
【補正対象項目名】全文
【補正方法】変更
【補正の内容】
【特許請求の範囲】
【請求項１】収納庫本体と、この収納庫本体内に設けられている内容器と、この内容器と熱的に接続されている冷却機構と、前記収納庫本体に取り付けられる蓋体とを有し、前記収納庫本体の外殻体と前記内容器の間および前記蓋体内に断熱部材を設けた低温収納庫において、前記冷却機構の吸熱部を前記内容器の外面に当接した状態で固定するための固定部を設けると共に、この固定部を前記内容器の外面に対して取り付けたことを特徴とする低温収納庫。
【請求項２】前記内容器外面に前記冷却機構の吸熱部の先端と密着する形状の当接面を形成すると共に、この当接面の周囲を囲むように前記固定部が取り付けられていることを特徴とする請求項１記載の低温収納庫。
【請求項３】前記当接面と前記冷却機構の先端面が当接すると共に、前記固定部が前記冷却機構の先端側の側面を締め付けるように構成されていることを特徴とする請求項２記載の低温収納庫。
【請求項４】前記内容器と前記固定部とが同じ材質で構成されていることを特徴とする請求項１乃至３記載の低温収納庫。
【発明の詳細な説明】
【０００１】
【発明の属する技術分野】
本発明は、ピストン駆動により冷熱を発生させる機関を用いて低温状態を実現する低温収納庫に関するものである。
【０００２】
【従来の技術】
ピストン駆動により冷熱を発生させる機関を用いて低温状態を実現する低温収納庫として、スターリングサイクル機関を用いた低温収納庫があり、例えば、特許第３２８６４９４号の特許掲載公報に記載されたものがある。この公報によれば、スターリングサイクル機関として、圧縮シリンダ部の先方に形成され作動ガスを圧縮させる圧縮室と、膨張シリンダ部の先方に形成され動作ガスを膨張させる膨張室とを有し、圧縮室と膨張室とは、熱再生器と放熱器とを介在させてガス流路で連通しており、クランク機構によるピストンを往復運動させ動作ガスを圧縮し、あるいは膨張させて冷熱を発生させるものが開示されている。
【０００３】
また、収納容器部分として、箱状の外箱と内箱との間にウレタン等の断熱材を充填した断熱部の内壁に熱伝導板を張り付けて収納容器部分である冷凍室が形成されることが開示されている。
【０００４】
さらに、低温収納庫の収納容器は、下部に膨張シリンダ部の先端に接続する熱伝導部を有し、熱伝導部が熱伝導板の底面に接合し、膨張シリンダ部のある部分が断熱材で覆われていることも開示されている。
【０００５】
【特許文献１】
特許第３２８６４９４号特許掲載公報
【０００６】
【発明が解決しようとする課題】
しかしながら、前記特許掲載公報によれば、スターリングサイクル機関の膨張シリンダ部が熱伝導部を介して、内容器の底面を構成する熱伝導板の底面に接合されているので、スターリングサイクル機関で発生した冷熱の伝導が間接的であり、効率的に内容器に伝わり難いという課題があった。また、前記特許掲載公報によれば、スターリングサイクル機関の膨張シリンダ部の先端が熱伝導板の底面に接合しているだけであるため、両者が密着しなかったり組み立て中に離れたりする虞があるなど、組み立て性に課題があった。
【０００７】
ところで、冷却機構であるピストンの往復運動を利用して冷却する機関として、スターリングサイクル機関を用いることができる。この場合、スターリングサイクル機関の膨張シリンダ部と内容器の底面を接合させ、クランク機構によるピストンを往復運動させるようなスターリングサイクル機関では、稼動による振動が内容器に伝わり、振動による熱が発生し易いという問題があった。しかし、例えば、ピストンを軸方法に往復駆動することにより（圧縮シリンダに対応）、これに従動して軸方向に往復運動するディスプレイサー（膨張シリンダに対応）からなるスターリングサイクル機関（特開平２０００−２７４８５４号公報参照）を用いれば、振動が少ないので、このスターリングサイクル機関の吸熱部を固定部により内容器に固定すれば、固定も容易であり、振動による熱の発生も抑えられる。
【０００８】
そこで、本発明は、上記課題を解決するためになされたものであり、ピストンの往復運動を利用して冷却する機関を用いた低温収納庫において、前記機関の吸熱部で発生した冷熱を効率良く低温収納庫内の内容器に伝えることができると共に、組み立て性に優れた低温収納庫を提供することを目的とするものである。
【０００９】
【課題を解決するための手段】
請求項１の低温収納庫の発明は、収納庫本体と、この収納庫本体内に設けられている内容器と、この内容器と熱的に接続されている冷却機構と、前記収納庫本体に取り付けられる蓋体とを有し、前記収納庫本体の外殻体と前記内容器の間および前記蓋体内に断熱部材を設けた低温収納庫において、前記冷却機構の吸熱部を前記内容器の外面に当接した状態で固定するための固定部を設けると共に、この固定部を前記内容器の外面に対して取り付けたことを特徴とするものである。
【００１０】
請求項１の低温収納庫によれば、冷却機構の吸熱部に、収納庫本体の内容器の外面に当接固定されるための固定部を設け、この固定部が内容器の外面に固定されるので、吸熱部で発生した冷熱を効率良く内容器に伝えるばかりでなく、この内容器に固定部が取り付けられるので、これら内容器及び固定部の加工が容易である。
【００１１】
請求項２記載の低温収納庫の発明は、請求項１において、前記内容器外面に前記冷却機構の吸熱部の先端と密着する形状の当接面を形成すると共に、この当接面の周囲を囲むように前記固定部が取り付けられていることを特徴とするものである。
【００１２】
請求項２の低温収納庫によれば、冷却機構の吸熱部の最も低温となる先端部が内容器の外面と熱的に良好に密着し、さらに、固定部が当接面を囲むようになっているので、発生した冷熱を効率的に内容器に伝える。
【００１３】
請求項３記載の低温収納庫の発明は、請求項２において、前記当接面と前記冷却機構の先端面が当接すると共に、前記固定部が前記冷却機構の先端側の側面を締め付けるように構成されていることを特徴とするものである。
【００１４】
請求項３の低温収納庫によれば、前記固定部が前記冷却機構の先端側の側面を締め付けることで、先端面の変形が抑えられるので、簡単な構造で吸熱部を固定できると共に、発生した冷熱を効率的に内容器に伝える。
【００１５】
請求項４記載の低温収納庫の発明は、請求項１乃至３のいずれか一項において、前記内容器と前記固定部とが同じ材質で構成されていることを特徴とするものである。
【００１６】
請求項４の低温収納庫によれば、固定部と吸熱部の材質が同じなので、材質の違いによる熱伝導損失がないばかりでなく、内容器と固定部が同じ熱膨張率で変形する。
【００１７】
【発明の実施形態】
以下、本発明の実施形態について、図１および図２に基づいて説明する。
【００１８】
１は、本発明における低温収納庫を示すものである。この低温収納庫１は、冷却機構であるスターリングサイクル機関11を搭載する搭載室２と、その搭載室２の上方にスターリングサイクル機関11から発生する熱を放出するための放熱フィン12を空冷するための外気取込室３と、その外気取込室３の上方に収納庫本体４が設けられており、その収納庫本体４の上方には、収納庫本体内の保存室５に低温保存する物を出し入れするための蓋体６が設けられている。そして、収納庫本体４と蓋体６は、図示しないヒンジ等で開閉自在に取り付けられている。また、前記低温収納庫１が移動可能なように、搭載室２の下部にはゴム製のローラー７が設けられている。
【００１９】
搭載室２の内部には、スターリングサイクル機関11を固定するためのスプリング等の防振機構15付きの固定台14がある。そして、防振機構15には、略Ｌ字型の固定板16が連結されており、固定板16がスターリングサイクル機関11の本体胴部分に接合され、固定台14に固定されるようになっている。そして、スターリングサイクル機関11の吸熱部13は、搭載室２から外気取込室３を貫通し、収納庫本体４に至っており、吸熱部13の先端が収納庫内の内容器21の底面に当接するようになっている。
【００２０】
前記搭載室２と外気取込室３とは、仕切板17で仕切られていると共に、前記外気取込室３の中央部分は、スターリングサイクル機関11の吸熱部13が貫通している。また、放熱フィン12が吸熱部13の下方の放熱部13Ａを囲むように配置されている。そして、前記外気取込室３の外殻体には、図示しない外気取込孔があり、この外気取込孔から外気を取り入れ、放熱フィン12を空冷するようになっている。さらに、前記放熱フィン12は、放熱フィンカバー18で仕切板17と接合されている。前記放熱フィンカバー18は、ゴム等の弾性体で形成されており、この部分においてスターリングサイクル機関11の振動が低温収納庫の外殻体へ伝わるのを低減しているばかりでなく、前記外気取込孔から取り入れられた外気が前記放熱フィン12と仕切板17の間を通ることが防止されることで、放熱フィン12の放熱効率が向上する。また、放熱フィン12の上方の吸熱部13と放熱部13Ａの間を囲むように、断熱材19が放熱フィン12より小さい円周で形成され、配置されている。
【００２１】
また、収納庫本体４の中央部分には、低温保存される物を入れるための内容器21（保存室５）がある。そして、内容器21の外側には、内容器21を囲むように発泡ゴムからなる防振部材22が配置されている。さらに、防振部材22を囲むように発泡ウレタンよりなる断熱部材たる発泡断熱部材23が配置され、その外側には断熱部材たる真空断熱部材24が配置されている。この真空断熱部材24は、発泡断熱部材23の側面のみならず、底面も覆うように配置されている。また、防振部材22は、その下端が前記外気取込室３の上面までとどくように配置されている。
【００２２】
前記内容器21の底面には、その中央部分に前記スターリングサイクル機関11の吸熱部13の先端面13Ｂが接触する当接面21Ａが形成されている。なお、前記吸熱部13は、図２に示すような一部に開放部51を有する略Ｃ字型の固定部25により内容器12に固定されている。前記固定部25には、その側面に貫通孔52が設けられており、その貫通孔52にボルト53を螺合させ、スターリングサイクル機関11の吸熱部13の先端部側面を締め付けて固定するようになっている。そして、固定部25には、上面から下面に向かって貫通していない後述するボルト28用の孔54が４箇所形成されており、この孔54にボルト28が螺合することによって、吸熱部13の先端部側面を締め付けた固定部25と内容器21の底面が接合固定され、固定部25が当接面21Ａを囲むと共に、この当接面21Ａに前記吸熱部13の先端面13Ｂが熱的に良好な状態で密着するようになっている。なお、前記固定部25は、前記内容器21の底面に対して熱的に良好な状態で固定されている。そして、内容器21と固定部25とは同じ材料、例えばアルミニウムや銅を用いることにより、熱伝導の違いによる熱伝導損失を抑えることができるばかりでなく、これら内容器21と固定部25の熱膨張率が同じであるため、これらが吸熱部13によって冷却されたとしても、同じように収縮することで、内容器21と固定部25の熱膨張率の差によって熱ストレスが加わって両者の密着性が損なわれたり破損したりするようなことがない。また、前記内容器21の下方には、この内容器21の底面を覆うように発泡断熱部材26が配置され、さらにその下方を覆うように、この発泡断熱部材26の底面に真空断熱部材27が配置されている。なお、図１の拡大部分に示すように、内容器21の底部には、ボルト28用の貫通孔が形成されており、この貫通孔に防振用のＯリング29を介して前記ボルト28を入れて前記孔54に螺合させることで、前記吸熱部13の先端部側面を締め付けた固定部25と内容器21とが結合するようになっている。そして、このように前記吸熱部13の先端部側面を前記固定部25によって締め付けて固定し、この固定部25を、前記内容器21の底面に形成された当接面21Ａを囲むように且つ前記吸熱部13の先端面13Ｂが前記当接面21Ａに熱的に良好な状態で接触するように固定することで、組み立て中に前記吸熱部13の先端面13Ｂと前記当接面21Ａとの熱的な密着が損なわれることがなく、組み立てが行いやすい。また、前記吸熱部13の先端部側面が前記固定部25によって締め付けられることで、前記吸熱部13の先端面13Ｂの変形が抑えられるため、前記吸熱部13の先端面13Ｂと前記当接面21Ａとの熱的な密着が損なわれることが更に抑えられる。
【００２３】
前記内容器21は、その側壁の上部が前記収納庫本体４の上端近傍まで延びている。また、前記防振部材22と発泡断熱部材23の上方は、合成樹脂製の取付板30で覆われている。また、前記内容器21と取付板30の接続および防振を目的とする内容器接続パッキン31が、取付板30の下面と内容器21の上端との間に配置されている。更に、前記取付板30の外周側では、前記収納庫本体４の外殻体が保存室５側に折り込まれるように形成されており、この外殻体の折り込まれた部分を前記取付板30の外周部が覆っている。この部分について、図１の拡大部分を用いて説明する。前記収納庫本体４の外殻体の内側に折り込まれた部分は、途中まで発泡断熱部材23と取付板30に挟まれている。そして、前記取付板30の下面における前記収納庫本体４の外殻体の折り込まれた部分の内端部近傍には、前記内容器21を囲むように溝状の肉薄部35が形成されており、前記収納庫本体４の外殻体の折り込まれた部分の内端部は、前記発泡断熱部材23で覆われるように形成されている。そして、熱伝導率の低い樹脂で形成された取付板30を、前記肉薄部35において薄くしていることで、熱伝導が更に抑えられ、外殻体から取付板30を経て内容器21に至る熱の伝導が減少する。
【００２４】
前記蓋体６内部には、発泡断熱部材36及び真空断熱部材37が設けられていると共に、前記蓋体６の下面には内蓋38が固定されている。そして、前記蓋体６内の保存室５側に前記発泡断熱部材36が設けられていると共に、この発泡断熱部材36の外側に前記真空断熱部材37が設けられている。また、前記内蓋38は、前記内容器21の内径とほぼ同じか、それより小さくなっている。更に、前記蓋体６の外殻体も、前記収納庫本体４と同様に、保存室５側に折り込まれるように形成されており、その内端部は、前記取付板30とほぼ同じ構造の合成樹脂製の取付板39によって覆われている。また、この取付板39の上面にも、前記内容器21を囲むように肉薄部40が形成されている。この部分について、図１の拡大部分を用いて説明する。前記蓋体６の外殻体の内側に折り込まれた部分は、発泡断熱部材38と取付板39に挟まれている。そして、前記取付板39の上面における前記蓋体６の外殻体の折り込まれた部分の内端部よりも内側には、前記内容器21を囲むように溝状の肉薄部40が形成されている。そして、熱伝導率の低い樹脂で形成された取付板39を、前記肉薄部40において薄くしていることで、熱伝導が更に抑えられ、外殻体から取付板39を経て内容器21に至る熱の伝導が減少する。更に、前記取付板39の外周側に、蓋パッキン32が固定されていると共に、この蓋パッキン32の内側には、内部蓋パッキン33が取り付けられている。なお、前記蓋パッキン32は、いわゆるマグネットパッキンである。そして、前記蓋体６を閉めることで、前記蓋パッキン32が収納庫本体４の外殻体に磁着すると共に、前記内部蓋パッキン33が前記取付部30に密着する。従って、前記蓋パッキン33及び内部蓋パッキン33によって、前記収納庫本体４の保存室５を略密閉状態に保つことができるようになっている。なお、前記収納庫本体４及び蓋体６の外殻は、熱伝導率が低く且つ磁性体であることが好ましく、例えば鋼板等が使用可能である。
【００２５】
以上のような構成で、冷却機構であるスターリングサイクル機関11の図示しないピストンを往復運動させることにより、吸熱部13の先端部が冷却されるようになる。そして、前記先端面13Ｂが前記当接面21Ａと熱的に良好に密着していることで、前記内容器21内の熱が内容器21の当接面21Ａから吸熱部13の先端面13Ｂに伝導すると共に、前記吸熱部13の先端部側面を締め付けている固定部25が前記内容器21の底面に熱的に密着した状態でボルト28によって固定されていることで、前記内容器21内の熱が固定部25から吸熱部13の先端部に伝導することで、前記内容器21（保存室５）が冷却される。
【００２６】
このとき、前記収納庫本体４内で前記内容器21の外側に設けられた発泡断熱部材23の外側に設けられた真空断熱部材24及び蓋体６内の発泡断熱部材38の上方に設けられた真空断熱部材37によって、低温収納庫１の外部から内容器21（保存室５）に流入する熱を効果的に遮断できると共に、前記収納庫本体４内で前記内容器21の下方に設けられた発泡断熱部材26の下方に設けられた真空断熱部材27によって、スターリングサイクル機関11の放熱部13Ａから内容器21（保存室５）に流入する熱を効果的に遮断できる。更に、前記収納庫本体４の上部に設けられた取付板30が合成樹脂で形成されていることで、前記収納庫本体４の外殻体から前記取付板30を伝って前記内容器21（保存室５）に熱が流入することが抑えられるばかりでなく、前記取付板30に溝状の肉薄部35が形成されていることで、この肉薄部35における熱伝導が阻害され、前記収納庫本体４の外殻体から前記内容器21（保存室５）に熱が流入することが更に抑えられる。同様に、前記蓋体６においても、前記取付板39が合成樹脂で形成されていることで、前記蓋体６の外殻体から前記取付板39を伝って保存室５に熱が流入することが抑えられるばかりでなく、前記取付板39に溝状の肉薄部40が形成されていることで、この肉薄部40における熱伝導が阻害され、前記蓋体６の外殻体から保存室５に熱が流入することが更に抑えられる。従って、前記内容器21（保存室５）に熱が流入することが効果的に抑えられて効率的に冷却されることになる。
【００２７】
ところで、前記真空断熱部材24，27，37の前記内容器21側に前記発泡断熱部材23，26，36が設けられており、これらの発泡断熱部材23，26，36によって前記内容器21からの冷熱が遮断されることで、前記真空断熱部材24，27，37の外面が過度に低温とならない。このため、前記真空断熱部材24，27，37を構成する外面のフィルム（通常は合成樹脂）が低温脆化せず、これら真空断熱部材24，27，37の真空が保たれることになる。そしてこの結果、前記低温収納庫１は長期にわたって高い断熱性が維持される。
【００２８】
そして、スターリングサイクル機関11で発生して放熱フィン12に伝わった振動は、放熱フィンカバー18で吸収されることで、仕切板17から外気取込室３，ひいては収納庫本体４に振動が伝わることが防止される。一方、前記スターリングサイクル機関11の吸熱部13は前記内容器21に対して直接接触しているため、前記スターリングサイクル機関11で発生した振動は内容器21に伝わることになる。しかしながら、この内容器21の外面が防振部材22によって覆われているため、前記内容器21から発泡断熱部材23に伝わる振動が吸収される。即ち、前記発泡断熱部材23は、通常ポリウレタンを収納庫本体４の外殻体内部に注入して発泡させることで形成するが、発泡ポリウレタンの外面においては気泡が形成されずソリッドな状態であり、ポリウレタン樹脂自体が比較的硬いため、この発泡断熱部材23の外面に沿って振動が伝わりやすいものの、前述したように、防振部材22によって振動が吸収されるので、前記内容器21から発泡断熱部材23を経て前記収納庫本体４に振動が伝わらないようにできる。また、前記内容器21の上端と取付板30の間に内容器接続パッキン31が設けられていることで、この内容器接続パッキン31によって内容器21から取付板30に伝わる振動が吸収されることになる。更に、前記内容器21の側壁から取付板30に僅かに振動が伝わったとしても、この取付板30に形成された溝状の肉薄部35によって、振動が収納庫本体４の外殻体に伝わることが防止される。従って、スターリングサイクル機関11から前記内容器21に伝わった振動は、前記収納庫本体４には伝わらないことになる。
【００２９】
以上のように、前記実施形態においては、収納庫本体４と、この収納庫本体４内に設けられている内容器21と、この内容器21と熱的に接続されている冷却機構たるスターリングサイクル機関11と、前記収納庫本体４に取り付けられる蓋体６とを有し、前記収納庫本体６の外殻体と前記内容器21の間および前記蓋体内６に断熱部材23、36を設けた低温収納庫において、前記冷却機構の吸熱部13を前記内容器21の外面に当接した状態で固定するための固定部25を設けると共に、この固定部25を前記内容器21の外面に対して取り付けているので、吸熱部13で発生した冷熱を内容器21に効率良く内容器に伝えることができるばかりでなく、組み立て中に吸熱部13と内容器21の密着が損なわれることがないので、組み立てやすい。
【００３０】
また、前記内容器21外面に前記スターリングサイクル機関11の吸熱部13の先端面13Ｂと密着する形状の当接面21Ａを形成すると共に、この当接面21Ａの周囲を囲むように前記固定部25が取り付けられているので、前記先端面13Ｂと当接面21Ａとの熱的な密着性が良く、発生した冷熱を内容器21に直接的に伝えることができ、また、固定部25を介して冷熱を間接的にも内容器21に更に効率良く伝えることができる。
【００３１】
また、前記当接面21Ａと前記スターリングサイクル機関11の吸熱部13の先端面13Ｂが当接すると共に、前記固定部25が前記吸熱部13の先端部側面を締め付けるように構成されているので、前記吸熱部13を容易に固定できるばかりでなく、先端面13Ｂの変形が抑えられるので、この先端面13Ｂと前記当接面21Ａの密着を保ち、前記スターリングサイクル機関11で発生した冷熱を内容器21に更に効率的に伝えることができる。
【００３２】
更に、前記内容器21と前記固定部25とが同じ材質で構成されているので、材質の違いによる熱伝導損失がなく、前記スターリングサイクル機関11で発生した冷熱を内容器21に効率的に伝えることができるばかりでなく、これら内容器21と固定部25の熱膨張率が同じであるため、これらが同じように収縮することで、内容器21と固定部25の熱膨張率の差によって熱ストレスが加わって両者の密着性が損なわれたり破損したりするようなことがない。。
【００３３】
なお、本発明は、前記実施形態に限定されるものではなく、種々の変形実施が可能である。
【００３４】
【発明の効果】
以上説明したように、請求項１記載の発明は、収納庫本体と、この収納庫本体内に設けられている内容器と、この内容器と熱的に接続されている冷却機構と、前記収納庫本体に取り付けられる蓋体とを有し、前記収納庫本体の外殻体と前記内容器の間および前記蓋体内に断熱部材を設けた低温収納庫において、前記冷却機構の吸熱部を前記内容器の外面に当接した状態で固定するための固定部を設けると共に、この固定部を前記内容器の外面に対して取り付けているので、吸熱部で発生した冷熱を効率良く内容器に伝えることで、この内容器内を効率的に冷却することができるばかりでなく、前記内容器に固定部が取り付けられるので、これら内容器及び固定部を容易に加工することができる。
【００３５】
請求項２記載の発明は、冷却機構の吸熱部の最も低温となる先端部が内容器の外面と熱的に良好に密着し、さらに、固定部が当接面を囲むようになっているので、密着性が良く発生した冷熱を内容器に直接的に伝えることができ、また、固定部を介して間接的にも内容器に効率良く伝えることができることができる。
【００３６】
請求項３記載の発明は、前記当接面と前記冷却機構の先端面が当接すると共に、前記固定部が前記冷却機構の先端側の側面、すなわち吸熱部を固定部を締め付けるように構成されているので、前記固定部が前記冷却機構の先端側の側面を締め付けることで先端面の変形が抑えられ、簡単な構造で吸熱部を固定できると共に、発生した冷熱を内容器に効率的に伝えることができる。
【００３７】
請求項４記載の発明は、前記内容器と前記固定部とが同じ材質で構成されているので、材質の違いによる熱伝導損失がなく、発生した冷熱を内容器に効率的に伝えることができるばかりでなく、内容器と固定部が同じ熱膨張率で変形することで、内容器と固定部の熱膨張率の差によって熱ストレスが加わって密着性が損なわれたり破損したりする虞を一掃できる。
【図面の簡単な説明】
【図１】本発明の実施形態を示す断面図である。
【図２】スターリングサイクル機関の吸熱部を内容器の底面に固定するための構造を示す部分分解斜視図である。
【符号の説明】
１  低温収納庫
４  収納庫本体
６  蓋体
11  スターリングサイクル機関（冷却機構）
13  吸熱部
13Ｂ  先端面
21  内容器
21Ａ  当接面
23  発泡断熱部材（断熱部材）
24  真空断熱部材（断熱部材）
25  固定部
26  発泡断熱部材（断熱部材）
27  真空断熱部材（断熱部材）
36  発泡断熱部材（断熱部材）
37  真空断熱部材（断熱部材）